(57)【要約】【課題】刃こぼれ等のおそれがない状態で、「鎌」を安全に保管・収納することが可能な、鎌掛け器を提供することを課題とする。また、「鎌」を安定した状態で保管・収納することが可能な、鎌掛け器を提供することを課題とする。【解決手段】本発明は、箱体１０を用いて構成された鎌掛け器１であって、鎌Ｋの刃部Ｋ１を収納可能なように、前記箱体１０の正面板１１に穿孔された鎌掛け孔部１１Ａと、前記鎌Ｋの柄部Ｋ２を固定可能なように、前記鎌掛け孔部１１Ａに対応すべく、前記箱体１０の正面板１１前方位置にて係脱可能に設けられた柄固定部２０とを備えたことを特徴としている。【選択図】図１
2010247241.tif 000002
【特許請求の範囲】
【請求項１】
箱体を用いて構成された鎌掛け器であって、
鎌の刃部を収納可能なように、前記箱体の第一面に穿孔された鎌掛け孔部と、
前記鎌の柄部を固定可能なように、前記鎌掛け孔部に対応すべく、前記箱体の第一面前方位置にて係脱可能に設けられた柄固定部とを備えた
ことを特徴とする鎌掛け器。
【請求項２】
箱体を用いて構成された鎌掛け器であって、
複数の鎌の刃部を収納可能なように、前記箱体の第一面に穿孔された複数の鎌掛け孔部と、
前記複数の鎌の柄部を固定可能なように、前記複数の鎌掛け孔部に対応すべく、前記箱体の第一面前方位置にて係脱可能に設けられた柄固定部とを備えた
ことを特徴とする鎌掛け器。
【請求項３】
前記柄固定部が、複数の前記鎌掛け孔部に対応すべく前記箱体の第一面前方位置にて係脱可能に設けられた、単一棒状の柄固定部である
請求項２に記載の鎌掛け器。
【発明の詳細な説明】
【技術分野】
【０００１】
本発明は、鎌掛け器に関し、より具体的には、安全性に考慮しつつ、鎌を安定した固定状態で収納可能な鎌掛け器に関するものである。
【背景技術】
【０００２】
現在においても、庭仕事や草刈り等のときには、主要な道具の一つとして、「鎌」が頻繁に使用されている。この「鎌」は、鋭い「刃」を有しているため、使用時には、自分自身の身体は勿論のこと、周囲の状況にも十分な注意が必要となる。また、この「鎌」は、上述したように、鋭い「刃」を有しているため、不使用時においても、その取り扱い（保管状況等）については、最大限の注意をはらう必要がある。
【０００３】
一般的に、「鎌」を保管する場合には、その「鎌」の「刃」の部分に何等かのカバーをかけ、「刃」にカバーをかけた状態の「鎌」が、他の工具等と共に道具箱等の中に収納されている。また、場合によっては、壁に釘等を打ちつけ、その釘等に「鎌」の「刃」や「柄」を掛けた状態で、「鎌」の保管が行われている。
【０００４】
さらに、従来技術においては、鎌等の工具を収納する装置が知られている。（特許文献１参照）
【先行技術文献】
【特許文献】
【０００５】
【特許文献１】実開昭５７−１５３４９１号公報
【発明の概要】
【発明が解決しようとする課題】
【０００６】
さて、上述したように、「鎌」は従来から、基本的にその「刃」にカバー等を装着して、道具箱等の中に他の工具と共に収納されている。このような場合、いかに「刃」にカバーをかけていても、「鎌」と他の工具とが接触することによって、「鎌」の「刃」に刃こぼれを生ずることがある。
【０００７】
また、壁に打ち付けた釘等を用いて「鎌」を保管する場合には、ちょっとしたことで「鎌」が外れる可能性（例えば、「鎌」が釘から外れて落下する可能性）があるため、「鎌」保管時における安定感に欠けるという問題があった。
【０００８】
さらに、従来技術（特許文献１）にかかる装置は、コンバインに取り付け可能に構成されているが、その構造上、単体の鎌に対応するに過ぎない。すなわち、構造上、複数の鎌に対応することが困難である（多くの領域を必要として現実的ではない）という問題があった。
【０００９】
そこで、本発明は、上記従来技術の問題を解決するためになされたものであって、刃こぼれ等のおそれがない状態で、「鎌」を安全に保管・収納することが可能な、鎌掛け器を提供することを課題とする。また、本発明は、上記従来技術の問題を解決するためになされたものであって、「鎌」を安定した状態で保管・収納することが可能な、鎌掛け器を提供することを課題とする。さらに、本発明は、上記従来技術の問題を解決するためになされたものであって、複数の「鎌」を安定した状態で安全に保管・収納することが可能な、鎌掛け器を提供することを課題とする。
【課題を解決するための手段】
【００１０】
本発明の第一態様は、上記課題を解決するためになされたものであり、箱体を用いて構成された鎌掛け器であって、鎌の刃部を収納可能なように、前記箱体の第一面に穿孔された鎌掛け孔部と、前記鎌の柄部を固定可能なように、前記鎌掛け孔部に対応すべく、前記箱体の第一面前方位置にて係脱可能に設けられた柄固定部とを備えたことを特徴としている。
【００１１】
このような構成によれば、前記箱体に穿孔された前記鎌掛け孔部に前記鎌の刃部を挿入した状態で、前記柄固定部を用いて、前記鎌（の前記柄部）を固定することができる。すなわち、このような構成によれば、前記鎌掛け孔部に前記刃部を挿入することによって、前記鎌を固定した状態のときには、前記箱体内に前記刃部が収まるため、鎌を安全に保管・収納することができる。また、本発明によれば、前記刃部は前記鎌掛け孔部に挿入された状態で支持され、前記柄部は前記柄固定部にて固定されているため、前記鎌自身が安定した状態で保管・収納されることとなる。さらに、本発明によれば、前記鎌の前記刃部が前記箱体内に収まり、他の工具等と接触することがないため、刃こぼれのおそれを低減することができる。
【００１２】
本発明の第二態様は、上記課題を解決するためになされたものであり、箱体を用いて構成された鎌掛け器であって、複数の鎌の刃部を収納可能なように、前記箱体の第一面に穿孔された複数の鎌掛け孔部と、前記複数の鎌の柄部を固定可能なように、前記複数の鎌掛け孔部に対応すべく、前記箱体の第一面前方位置にて係脱可能に設けられた柄固定部とを備えたことを特徴としている。
【００１３】
このような構成によれば、前記箱体に穿孔された前記鎌掛け孔部に前記鎌の刃部を挿入した状態で、前記柄固定部を用いて、前記柄部を固定することができる。すなわち、このような構成によれば、前記箱体内に前記刃部が収まるため、鎌を安全に保管・収納することができる。また、本発明によれば、前記刃部が前記鎌掛け孔部にて支持され、前記柄部が前記柄固定部にて固定されるため、前記鎌が安定した状態で保管・収納されることとなる。さらに、本発明によれば、前記鎌の前記刃部が前記箱体内に収まり、他の工具等と接触することがないため、刃こぼれのおそれを低減することができる。また、本発明によれば、前記第一面に前記複数の鎌掛け孔部が設けられているため、複数の鎌を安定した状態で安全に保管・収納することができる。
【００１４】
また、本発明の第三態様にかかる鎌掛け器は、前記第二態様の構成において、前記柄固定部が、複数の前記鎌掛け孔部に対応すべく前記箱体の第一面前方位置にて係脱可能に設けられた、単一棒状の柄固定部であることが好ましい。
【００１５】
この好ましい構成によれば、前述した第二態様の作用効果に加え、次のような作用効果を得ることができる。すなわち、このような構成によれば、複数の前記鎌掛け孔部に対応する前記柄固定部が、単一棒状に形成されているため、複数の前記鎌を安全且つ安定して保管・収納する鎌掛け器を比較的簡単に構成することができる。
【発明の効果】
【００１６】
本発明によれば、刃こぼれ等のおそれがない状態で、「鎌」を安全に保管・収納することが可能な、鎌掛け器を得ることができる。また、本発明によれば、「鎌」を安定した状態で保管・収納することが可能な、鎌掛け器を得ることができる。さらに、本発明によれば、複数の「鎌」を安定した状態で安全に保管・収納することが可能な、鎌掛け器を得ることができる。
【図面の簡単な説明】
【００１７】
【図１】本発明の実施形態にかかる鎌掛け器の概略斜視図を示したものである。
【図２】図１に示した鎌掛け器の概略側面図を示したものである。
【図３】図１に示した鎌掛け器の概略正面図を示したものであり、図３（ａ）は、鎌掛け器を構成する柄固定部を係脱支持部に係止させた状態を示し、図３（ｂ）は、鎌掛け器を構成する柄固定部を係脱支持部から離脱させた状態を示している。
【発明を実施するための形態】
【００１８】
以下、図面に基づき、本発明の実施形態について説明する。
【００１９】
図１は、本発明の実施形態にかかる鎌掛け器の概略斜視図を示したものである。図２は、本実施形態にかかる鎌掛け器の概略側面図を示したものである。図３は、本実施形態にかかる鎌掛け器の概略正面図を示したものであり、図３（ａ）は、鎌掛け器を構成する柄固定部を係脱支持部に係止させた状態を示し、図３（ｂ）は、鎌掛け器を構成する柄固定部を係脱支持部から離脱させた状態を示している。
【００２０】
図１から図３に示すように、本実施形態にかかる鎌掛け器１は、箱体１０と柄固定部２０とを用いて構成されている。
【００２１】
鎌掛け器１を構成する箱体１０は、正面板１１（本発明の「第一面」に相当）およびこの正面板１１に対向した背面板１２と、左側面板１３およびこの左側面板１３に対向した右側面板１４と、上面板１５およびこの上面板１５に対向した下面板１６とを用いて構成されている。つまり、これらの六つの平面板１１〜１６を用いて箱体１０が構成されている。
【００２２】
本実施形態にかかる鎌掛け器１を構成する正面板１１には、その上方位置に（上面板１５と接する位置に）、複数の鎌掛け孔部１１Ａが穿孔されている。この正面板１１には、図３等に示すように、七つの鎌掛け孔部１１Ａが穿孔されている。この鎌掛け孔部１１Ａは、下方に鋭角部を有する三角形形状に形成されている。
【００２３】
正面板１１に対向して設けられた背面板１２は、正面板１１と比較して、上方に大きめに形成されている。そして、この上方に突出した部分には、本実施形態にかかる鎌掛け器１を壁等に取り付ける際に用いられる、取付け孔部１２ａが穿孔されている。
【００２４】
正面板１１の左右位置には、正面板１１および背面板１２を左右から挟み込むように、左側面板１３および右側面板１４が設けられている。そして、詳細な説明は後述すべく、左側面板１３の前方端部に係脱支持部３２が設けられ、右側面板１４の前方端部に回動支持部３１が設けられている。
【００２５】
正面板１１の上下位置には、上面板１５および下面板１６が設けられている。上面板１５は、正面板１１を上方位置から挟むように、また、下面板１６は、正面板１１および背面板１２の下方位置にて、正面板１１と背面板１２との間に挟持される状態に配設されている。
【００２６】
また、本実施形態にかかる鎌掛け器１においては、正面板１１の前方位置に柄固定部２０が設けられている。より具体的には、本実施形態にかかる柄固定部２０は、固定部右方端部２１が回動支持部３１を用いて右側面板１４に回動自在に取り付けられている。また、この柄固定部２０は、その固定部左方端部２２が、左側面板１３に設けられた係脱支持部３２に係脱可能に構成されている。
【００２７】
すなわち、本実施形態にかかる柄固定部２０は、図３に示すように、回動支持部３１にて回動自在に取り付けられた固定部右方端部２１を中心として、Ｘ１方向（図３（ａ）参照）およびＸ２方向（図３（ｂ）参照）に回動可能に構成されている。加えて、この柄固定部２０は、必要に応じて、左側面板１３に設けられた係脱支持部３２に係脱可能に構成されている。
【００２８】
本実施形態にかかる鎌掛け器１を構成する柄固定部２０は、鎌掛け孔部１１Ａに鎌Ｋの刃部Ｋ１を挿入した状態における柄部Ｋ２を適切に固定可能な位置に、回動支持部３１および係脱支持部３２を用いて支持されている。具体的には、本実施形態にかかる柄固定部２０は、回動支持部３１と係脱支持部３２とを用いて、鎌Ｋの把持部Ｋ２２を固定可能な位置に設けられている。
【００２９】
さて、本実施形態にかかる鎌掛け器１は、上述したように構成されており、この構成に基づき種々の効果を有している。以下、上述した構成および図１〜図３を用いて、本実施形態にかかる鎌掛け器１の使用方法および作用効果等について説明する。
【００３０】
本実施形態にかかる鎌掛け器１を使用する場合には、まずはじめに、図３（ａ）に示すように、柄固定部２０（２０Ａ）の固定部左方端部２１を係脱支持部３２から離脱させ、回動支持部３１を中心としてＸ１方向に回動させる。次いで、回動中の柄固定部２０（２０Ｂ）の固定部左方端部２１をさらに回動させ、正面板１１の前方位置から、柄固定部２０（２０Ｃ）を完全に離脱させる（図３（ｂ）参照）。
【００３１】
次に、柄固定部２０を図３（ｂ）に示す状態まで離脱させた後に、複数設けられた鎌掛け孔部１１Ａのいずれかに、鎌Ｋの刃部Ｋ１を挿入する。本実施形態にかかる鎌掛け孔部１１Ａは、先にも説明したように、下方位置が鋭角である三角形形状に形成されているため、鎌Ｋの刃部Ｋ１を挿入すると、刃部Ｋ１が鎌掛け孔部１１Ａにて適切に固定される。
【００３２】
次に、鎌Ｋの刃部Ｋ１を鎌掛け孔部１１Ａに挿入した後に、柄固定部２０（２０Ｃ）の固定部左方端部２１を、回動支持部３１を中心としてＸ２方向に回動させる（図３（ｂ）参照）。次いで、回動中の柄固定部２０の固定部左方端部２１をさらにＸ２方向に回動させ、柄固定部２０の固定部左方端部２１を係脱支持部３２に係止させる。
【００３３】
このように、本実施形態においては、鎌Ｋの刃部Ｋ１を鎌掛け孔部１１Ａに挿入した後に、柄固定部２０の固定部左方端部２１を係脱支持部３２に係止状態にすることによって、すなわち、鎌掛け孔部１１Ａと柄固定部２０とを用いて鎌Ｋが適切に固定されることとなる。
【００３４】
以下、より具体的に作用効果を説明する。
【００３５】
本実施形態は、箱体１０を用いて構成された鎌掛け器１であって、鎌Ｋの刃部Ｋ１を収納可能なように、箱体１０の正面板１１（第一面）に穿孔された鎌掛け孔部１１Ａと、鎌Ｋの柄部Ｋ２を固定可能なように、鎌掛け孔部１１Ａに対応すべく、箱体１０の正面板１１に係脱可能に設けられた柄固定部２０とを備えたことを特徴としている。
【００３６】
このような構成によれば、箱体１０に穿孔された鎌掛け孔部１１Ａに鎌Ｋの刃部Ｋ１を挿入した状態で、柄固定部２０を用いて、鎌Ｋの柄部Ｋ２を固定することができる。すなわち、このような構成によれば、鎌掛け孔部１１Ａに刃部Ｋ１を挿入することによって、鎌Ｋを固定した状態のときには、箱体１０内に刃部Ｋ１が収まるため、鎌を安全に保管・収納することができる。また、本実施形態によれば、刃部Ｋ１は鎌掛け孔部１１Ａに挿入された状態で支持され、柄部Ｋ２は柄固定部２０にて固定されているため、鎌Ｋ自身が安定した状態で保管・収納されることとなる。さらに、本実施形態によれば、鎌Ｋの刃部Ｋ１が箱体１０内に収まり、他の工具等と接触することがないため、刃こぼれのおそれを低減することができる。
【００３７】
また、本実施形態は、箱体１０を用いて構成された鎌掛け器１であって、複数の鎌Ｋの刃部Ｋ１を収納可能なように、箱体１０の正面板１１（第一面）に穿孔された複数の鎌掛け孔部１１Ａと、複数の鎌Ｋの柄部Ｋ２を固定可能なように、複数の鎌掛け孔部１１Ａに対応すべく、箱体１０の正面板１１に係脱可能に設けられた柄固定部２０とを備えたことを特徴としている。
【００３８】
このような構成によれば、箱体１０に穿孔された鎌掛け孔部１１Ａに鎌Ｋの刃部Ｋ１を挿入した状態で、柄固定部２０を用いて、柄部Ｋ２を固定することができる。すなわち、このような構成によれば、箱体１０内に刃部Ｋ１が収まるため、鎌を安全に保管・収納することができる。また、本実施形態によれば、刃部Ｋ１が鎌掛け孔部１１Ａにて支持され、柄部Ｋ２が柄固定部２０にて固定されるため、鎌Ｋが安定した状態で保管・収納されることとなる。さらに、本実施形態によれば、鎌Ｋの刃部Ｋ１が箱体１０内に収まり、他の工具等と接触することがないため、刃こぼれのおそれを低減することができる。また、本実施形態によれば、正面板１１に複数の鎌掛け孔部１１Ａが設けられているため、複数の鎌Ｋを安定した状態で安全に保管・収納することができる。
【００３９】
さらに、本実施形態にかかる鎌掛け器１は、柄固定部２０が、複数の鎌掛け孔部１１Ａに対応すべく、箱体１０の正面板１１（第一面）に係脱可能に設けられた、単一棒状の柄固定部で２０であることを特徴としている。
【００４０】
このような構成によれば、前述した種々の効果に加え、次のような作用効果を得ることができる。すなわち、このような実施形態によれば、複数の鎌掛け孔部１１Ａに対応する柄固定部２０が、単一棒状に形成されているため、複数の鎌Ｋを安全且つ安定して保管・収納する鎌掛け器１を比較的簡単に構成することができる。
【００４１】
また、本実施形態にかかる鎌掛け器１においては、背面板１２の上方位置に取付け孔部１２ａが設けられており、この取付け孔部１２ａを用いて、鎌掛け器１をより適切な位置に設けることができる。具体的には、本実施形態にかかる鎌掛け器１は、子供の手が届かないような高所に設置することが好ましく、そのように設置すれば、より安全に複数の鎌Ｋを保管することができる。当然のことながら、本発明は、この取付け孔部１２ａを用いた取り付け方法に限定されず、種々の方法にて取り付けることが可能である。
【００４２】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００４３】
上記実施形態においては、箱体１０を構成する正面板１１の前方位置に一つの柄固定部２０（本発明の「第一柄固定部」に相当）を設ける場合について説明したが、本発明はこの構成に限定されず、必要に応じて、複数の柄固定部を設けてもよい。
【００４４】
また、上記実施形態においては（図１〜図３にて説明した実施形態においては）、カバーを装着していない状態の鎌を鎌掛け器に収納する場合について説明したが、本発明の使用方法はこの方法に限定されない。したがって、例えば、鎌の刃にカバーを装着した状態で、本発明にかかる鎌掛け器に鎌を収納してもよい。
【産業上の利用可能性】
【００４５】
本発明によれば、刃こぼれ等のおそれがない状態で、「鎌」を安全に保管・収納することが可能な、鎌掛け器を提供することができる。また、本発明によれば、「鎌」を安定した状態で保管・収納することが可能な、鎌掛け器を提供することができる。さらに、本発明によれば、複数の「鎌」を安定した状態で安全に保管・収納することが可能な、鎌掛け器を提供することができる。
【符号の説明】
【００４６】
１…鎌掛け器
１０…箱体
１１…正面板（第一面）
１１Ａ…鎌掛け孔部
１２…背面板
１２ａ…取付け孔部
１３…左側面板
１４…右側面板
１５…上面板
１６…下面板
２０…柄固定部
２１…固定部右方端部
２２…固定部左方端部
３１…回動支持部
３２…係脱支持部
Ｋ…鎌
Ｋ１…刃部
Ｋ２…柄部
Ｋ２１…刃部近傍柄部
Ｋ２２…把持部
【図１】
2010247241.tif 000003
【図２】
2010247241.tif 000004
【図３】
2010247241.tif 000005